(57)【要約】【課題】  睡眠時無呼吸症候群の治療に使用するCPAPマスク，非侵襲的陽圧換気療法に使用するNPPVマスクであって、呼吸用気体に含まれる湿潤成分及び使用者自身の呼吸気体に含まれる湿潤成分がマスク内部に結露して生じる水滴が、患者の顔面や鼻孔内へ落下及び侵入することを防止すると共に呼吸気体の調湿を行う結露水吸水保水不織布を装着することができるCPAPマスク、NPPVマスクを提供する。【解決手段】  マスク1（CPAPマスク、NPPVマスク）に図１のように結露水吸水保水不織布3を装着するための切込又は穴2を設け、この切込又は穴2を用いて結露水吸水保水不織布3を装着し、マスク1内部に発生する結露水を吸水及び保水し、マスク1内部に結露して生じる水滴がマスク1の使用者の顔面や鼻孔内へ落下及び侵入することを防止する。また、マスク1に装着の結露水吸水保水不織布3により呼吸気体の調湿を行う。【選択図】図１
2019193686.tif 000002
【特許請求の範囲】
【請求項１】
睡眠時無呼吸症候群の治療に使用するCPAPマスク，非侵襲的陽圧換気療法に使用するNPPVマスクであって、前記マスクに結露水吸水保水不織布を装着するための切込又は穴を設けることを特徴とするマスク
【請求項２】
結露水吸水保水不織布を装着するための切込又は穴を用いて結露水を吸水及び保水する結露水吸水保水不織布を装着することを特徴とする請求項1に記載のマスク
【請求項３】
結露水を吸水及び保水する結露水吸水保水不織布を呼吸気体の調湿体として活用することを特徴とする請求項1及び請求項2に記載のマスク
【発明の詳細な説明】
【技術分野】
【０００１】
本発明は睡眠時無呼吸症候群の治療に使用するCPAPマスク，非侵襲的陽圧換気療法に使用するNPPVマスクに関するものである。
【背景技術】
【０００２】
睡眠時無呼吸症候群の治療に使用するCPAPマスク，非侵襲的陽圧換気療法に使用するNPPVマスクの内部に結露水が発生して、マスク内部の結露水がマスク使用者の顔面や鼻孔内に落下及び侵入し、マスク使用者が不快な覚醒をするなど結露水の顔面や鼻孔内への落下及び侵入は、マスク使用者に不快なストレスやトラウマを生じさせ治療の継続に大きな障害となっていた。また、衛生面での問題も生じる恐れがあった。
【０００３】
これらの課題を解決するため、以前から加温加湿器などによる クライメートコントロールや加温チューブなどの方法で温度と湿度をコントロールし、マスク内部などへの結露水の発生を予防する構成などが提案されてきた。
【０００４】
例えば、特許第5919263号公報（特許文献1）では、圧支持システムの患者回路の温度を自動制御する気道圧支持システムによって結露水発生を防止する構成が開示されている。
【０００５】
また、特許第6180776号公報（特許文献2)では、外部からの温度変化に対して影響を受けにくく、結露を生じさせることなく十分な加温及び加湿がなされた呼吸用ガスを安定して患者に供給することが可能な呼吸用ガスの加温加湿器が開示されている。
【０００６】
しかしながら、上記の特許文献１、及び特許文献２に開示の構成は、マスク使用者自身の呼吸気体に含まれる湿潤成分が、マスク内部に結露して生じる水滴がマスク使用者の顔面や鼻孔内へ落下及び侵入することを防止するという課題の解決に対しては用をなさなかった。
【先行技術文献】
【特許文献】
【０００７】
【特許文献１】特許第5919263号公報
【特許文献２】特許第6180776号公報
【発明の概要】
【発明が解決しようとする課題】
【０００８】
本発明が解決しようとする課題は、睡眠時無呼吸症候群の治療に使用するCPAPマスク，非侵襲的陽圧換気療法に使用するNPPVマスクの内部に発生する結露水を結露水吸水保水不織布に吸水及び保水し、結露水の顔面や鼻孔内への落下及び侵入を防止し、結露水がマスク使用者の顔面や鼻孔内に落下及び侵入することで急に不快な覚醒をしてしまうなどマスク使用者が非常に不快に感じていた強いストレスやトラウマを解消するとともに、結露水吸水保水不織布に呼吸気体の調湿体としての機能も持たせ、結果治療効果を高める簡潔且つ高信頼性のCPAPマスク，NPPVマスク構成を提供することである。
【課題を解決するための手段】
【０００９】
本発明は、上記の課題を解決するために、CPAPマスク，NPPVマスクに結露水吸水保水不織布を装着するための切込又は穴を設けることを特徴とする。
【００１０】
CPAPマスク，NPPVマスクに設けた切込又は穴を用いて結露水吸水保水不織布を装着し、CPAPマスク，NPPVマスク内部に発生する結露水を吸水及び保水することを特徴とする。
【００１１】
CPAPマスク，NPPVマスク内部に発生する結露水を吸水及び保水した結露水吸水保水不織布を呼吸気体の調湿体として活用することを特徴とする。
【発明の効果】
【００１２】
本発明は上記の構成とすることにより、睡眠時無呼吸症候群の治療に使用するCPAPマスク，非侵襲的陽圧換気療法に使用するNPPVマスクの構成において、このマスク内部に発生する結露水がマスク使用者の顔面や鼻孔内に落下及び侵入することで急に不快な覚醒をしてしまうなど、マスク使用者が非常に強い不快なストレスやトラウマを感じることを解消することができる。結果治療の効果が阻害されることを防止する顕著な効果を創出することができる。
【００１３】
また、CPAPマスク，NPPVマスクに装着され呼吸気体に含まれる湿潤成分を吸水及び保水した結露水吸水保水不織布は、必然的に呼吸気体の調湿体としての機能を持ち、結果治療効果を高める簡潔で高信頼性のCPAPマスク，NPPVマスク構成を創出することができる。
【図面の簡単な説明】
【００１４】
【図１】本発明に係るCPAPマスク，NPPVマスクの実施形態を説明する図である。（正面図）
【図２】本発明に係るCPAPマスク，NPPVマスクの実施形態を説明する図である。（側面図）
【図３】本発明に係るCPAPマスク，NPPVマスクの実施形態要素を分解説明する図である。
【図４】本発明に係るCPAPマスク，NPPVマスクの実施形態要素を説明する図である。（断面図）
【図５】あおむけに寝た人間の寝顔を表した図である。
【発明を実施するための形態】
【００１５】
図１に、本発明に係るCPAPマスク，NPPVマスクの基本的実施形態の構成を示す。（正面図）
マスク1に結露水吸水保水不織布3の装着に用いる切込又は穴2を設け、この切込又は穴2を利用して結露水吸水保水不織布3をマスク1内部に挿入装着する。マスク1をマスク使用者の顔5、鼻4に密着させる。マスク1に装着の結露水吸水保水不織布3は使用毎に交換し、マスク1も使用毎に洗浄する。構成が単純で簡潔なため衛生管理の徹底を容易に実現させることができる。
【００１６】
図２は、本発明に係るCPAPマスク，NPPVマスクの基本的実施形態を説明する図である。（側面図）  
マスク1に設けた切込又は穴２を用いて結露水吸水保水不織布3をマスク内部に挿入装着する。マスク1をマスク使用者の顔、鼻4に密着させる。マスク1に装着の結露水吸水保水不織布3は使用毎に交換し、マスク1も使用毎に洗浄する。構成が単純で簡潔なため衛生管理の徹底を容易に実現させることができる。
【００１７】
図3は、本発明に係るCPAPマスク，NPPVマスクの実施形態要素を分解説明する図である。
マスク1に切込又は穴２を設ける。マスク１に設けた切込又は穴２を用いて結露水吸水保水不織布３をマスク１に挿入装着する。
マスク１に挿入装着された結露水吸水保水不織布３はマスク１の結露水を吸水及び保水するとともに、呼吸気体の調質機能を果たす。
【００１８】
図４は、本発明に係るCPAPマスク，NPPVマスクの実施形態要素を説明する図である。（断面図）
マスク1に設けた切込又は穴２を用いて結露水吸水保水不織布3をマスク内部に挿入装着したマスクのAーA'断面を示す。３’はマスク１内部に挿入装着された結露水吸水保水不織布３の断面を示す。
【００１９】
図5は、あおむけに寝た人間の寝顔を表した図である。
結露水吸水保水不織布3を装着したマスク1をマスク使用者の顔5、鼻4に密着させる。
【符号の説明】
【００２０】
１    マスク
２    マスクに設けた切込又は穴
３    結露水吸水保水不織布
３’   マスク１内部に挿入装着された結露水吸水保水不織布３の断面
４    鼻
５    顔
【図１】
2019193686.tif 000003
【図２】
2019193686.tif 000004
【図３】
2019193686.tif 000005
【図４】
2019193686.tif 000006
【図５】
2019193686.tif 000007